(57)【要約】【課題】  画面の輝度低下を発生させずに、かつ動画表示の場合に見られる残像による表示品位低下を防止し得るデータ保持型表示装置、その駆動装置、及びデータ保持型表示装置の表示方法を提供する。【解決手段】  複数の表示フレームからなる映像信号を表示するときに、該複数の表示フレームにおける少なくとも１つの表示フレームを、データ信号線へ供給するデータ信号が映像信号の示す階調レベル未満の信号を含む階調レベル未満表示フレームとなるように駆動するデータ信号線駆動回路が設けられている。【選択図】  図１
2005128488.tif 000002
【特許請求の範囲】
【請求項１】
複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置において、
複数の表示フレームからなる映像信号を表示するときに、該複数の表示フレームにおける少なくとも１つの表示フレームを、データ信号線へ供給するデータ信号が上記映像信号の示す階調レベル未満の信号を含む階調レベル未満表示フレームとなるように駆動する第１の駆動手段を有し、該階調レベル未満の信号は前表示フレームの信号レベルと関連づけがなされていることを特徴とする表示装置。
【請求項２】
前記第１の駆動手段は、
前記階調レベル未満表示フレームの直前の表示フレームに対しては、データ信号線への信号出力レベルが映像信号の示す階調レベルと同一又はそれ以上のレベルである階調レベル表示フレームとなるように駆動することを特徴とする請求項１記載の表示装置。
【請求項３】
前記第１の駆動手段は、
前記データ信号線への信号出力レベルが、映像信号が示す階調レベルよりも低い階調レベルとするために、データ信号線への出力タイミングをずらすことを特徴とする請求項１又は２記載の表示装置。
【請求項４】
前記第１の駆動手段は、
前記データ信号線への出力タイミングをずらすため、ラッチ信号のタイミングを制御することを特徴とする請求項１、２又は３記載の表示装置。
【請求項５】
前記第１の駆動手段は、
前記データ信号線への出力タイミングをずらすため、ラッチ信号のタイミングを１垂直期間毎に制御することを特徴とする請求項１〜４のいずれか１項に記載の表示装置。
【請求項６】
前記第１の駆動手段は、
前記階調レベル表示フレームとそれに続く階調レベル未満表示フレームとを一対の表示フレームとし、該一対の表示フレーム単位でデータ信号線への信号極性を切り替えることを特徴とする請求項２〜５のいずれか１項に記載の表示装置。
【請求項７】
前記第１の駆動手段は、
前記データ信号線への信号出力の極性反転を、前記階調レベル表示フレーム、階調レベル未満表示フレームの別を問わず、複数の表示フレーム毎に切り替えることを特徴とする請求項２〜５のいずれか１項に記載の表示装置。
【請求項８】
前記第１の駆動手段は、
前記データ信号線への信号出力の極性反転を、前記階調レベル表示フレーム、階調レベル未満表示フレームの別を問わず、表示フレーム毎に切り替えることを特徴とする請求項２〜５のいずれか１項に記載の表示装置。
【請求項９】
前記第１の駆動手段は、
前記階調レベル表示フレームと階調レベル未満表示フレームとの境界となる表示フレームをランダムに切り替えることを特徴とする請求項２ないし５、７又は８のいずれか１項に記載の表示装置。
【請求項１０】
前記第１の駆動手段は、
前記データ信号線への信号出力の極性反転を、前記階調レベル表示フレーム、階調レベル未満表示フレームの別を問わず、その境界となるフレーム位置をランダムに切り替えることを特徴とする請求項２〜５、７、８又は９のいずれか１項に記載の表示装置。
【請求項１１】
前記第１の駆動手段は、
映像信号が複数の表示フレームからなる動画であるか又は静止画であるかを判断する判断手段を有していると共に、判断手段による判断が動画である場合に、階調レベル未満表示フレームとなるように駆動することを特徴とする請求項１〜１０のいずれか１項に記載の表示装置。
【請求項１２】
複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置において、
複数の表示フレームからなる映像信号における少なくとも１表示フレーム分の映像信号データを記憶する記憶手段と、
１垂直期間内に、上記記憶手段に記憶された１表示フレーム分の映像信号データを、ｎ倍速（ｎは２以上の整数）にてｎ回出力させると共に、該ｎ回のｎ倍速表示フレームのうち少なくとも１回のｎ倍速表示フレームを、データ信号線へ供給するデータ信号が上記映像信号の示す階調レベル未満の信号を含む階調レベル未満表示フレームとなるように駆動する第２の駆動手段とを有し、該階調レベル未満の信号は前表示フレームの信号レベルと関連づけがなされていることを特徴とする表示装置。
【請求項１３】
前記第２の駆動手段は、
前記階調レベル未満表示フレームの直前のｎ倍速表示フレームに対しては、データ信号線への信号出力レベルが映像信号の示す階調レベルと同一又はそれ以上のレベルである階調レベル表示フレームとなるように駆動することを特徴とする請求項１２記載の表示装置。
【請求項１４】
前記第２の駆動手段は、
前記データ信号線への信号出力レベルが、映像信号が示す階調レベルよりも低い階調レベルとするために、データ信号線への出力タイミングをずらすことを特徴とする請求項１２又は１３記載の表示装置。
【請求項１５】
前記第２の駆動手段は、
前記データ信号線への出力タイミングをずらすため、ラッチ信号のタイミングを制御することを特徴とする請求項１２、１３又は１４記載の表示装置。
【請求項１６】
前記第２の駆動手段は、
前記データ信号線への出力タイミングをずらすため、ラッチ信号のタイミングをｎ倍速表示フレーム毎に制御することを特徴とする請求項１２〜１５のいずれか１項に記載の表示装置。
【請求項１７】
前記第２の駆動手段は、
前記階調レベル表示フレームとそれに続く階調レベル未満表示フレームとを一対の表示フレームとし、該一対の表示フレーム単位でデータ信号線への信号極性を切り替えることを特徴とする請求項１３〜１６のいずれか１項に記載の表示装置。
【請求項１８】
前記第２の駆動手段は、
前記データ信号線への信号出力の極性反転を、前記階調レベル表示フレーム、階調レベル未満表示フレームの別を問わず、その境界となるフレーム位置をランダムに切り替えることを特徴とする請求項１３〜１６のいずれか１項に記載の表示装置。
【請求項１９】
前記第２の駆動手段は、
映像信号が複数の表示フレームからなる動画であるか又は静止画であるかを判断する判断手段を有していると共に、判断手段による判断が動画である場合に、階調レベル未満表示フレームとなるように駆動することを特徴とする請求項１２〜１８のいずれか１項に記載の表示装置。
【請求項２０】
複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置の駆動装置において、
複数の表示フレームからなる映像信号を表示するときに、該複数の表示フレームにおける少なくとも１つの表示フレームを、データ信号線へ供給するデータ信号が上記映像信号の示す階調レベル未満の信号を含む階調レベル未満表示フレームとなるように駆動する第１の駆動手段を有し、該階調レベル未満の信号は前表示フレームの信号レベルと関連づけがなされていることを特徴とする表示装置の駆動装置。
【請求項２１】
複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置の駆動装置において、
複数の表示フレームからなる映像信号における少なくとも１表示フレーム分の映像信号データを記憶する記憶手段と、
１垂直期間内に、上記記憶手段に記憶された１表示フレーム分の映像信号データを、ｎ倍速（ｎは２以上の整数）にてｎ回出力させると共に、該ｎ回のｎ倍速表示フレームのうち少なくとも１回のｎ倍速表示フレームを、データ信号線へ供給するデータ信号が上記映像信号の示す階調レベル未満の信号を含む階調レベル未満表示フレームとなるように駆動する第２の駆動手段とを有し、該階調レベル未満の信号は前表示フレームの信号レベルと関連づけがなされていることを特徴とする表示装置の駆動装置。
【請求項２２】
複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置の表示方法において、
複数の表示フレームからなる映像信号を表示するときに、該複数の表示フレームにおける少なくとも１つの表示フレームを、データ信号線へ供給するデータ信号が上記映像信号の示す階調レベル未満の信号を含む階調レベル未満表示フレームとなるように表示し、かつ該階調レベル未満の信号は前表示フレームの信号レベルと関連づけがなされていることを特徴とする表示装置の表示方法。
【請求項２３】
複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置の表示方法において、
複数の表示フレームからなる映像信号における少なくとも１表示フレーム分の映像信号データを記憶し、
記憶された１表示フレーム分の映像信号データを、１垂直期間内に、ｎ倍速（ｎは２以上の整数）にてｎ回出力させると共に、該ｎ回のｎ倍速表示フレームのうち少なくとも１回のｎ倍速表示フレームを、データ信号線へ供給するデータ信号が上記映像信号の示す階調レベル未満の信号を含む階調レベル未満表示フレームとなるように表示し、かつ該階調レベル未満の信号は前表示フレームの信号レベルと関連づけがなされていることを特徴とする表示装置の表示方法。
【請求項２４】
前記映像信号が複数の表示フレームからなる動画であるか又は静止画であるかを判断し、動画である場合に、階調レベル未満表示フレームとなるように表示することを特徴とする請求項２２又は２３記載の表示装置の表示方法。
【請求項２５】
複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置において、
複数の表示フレームからなる映像信号を表示するときに、該複数の表示フレームにおける少なくとも１つの表示フレーム内において、データ信号線へ供給するデータ信号が上記映像信号の示す階調レベル表示と、上記映像信号の示す階調レベル未満の信号を含む階調レベル未満表示とを出力タイミングをずらすことにより混在させて駆動する第３の駆動手段を有し、該階調レベル未満の信号は前表示フレームの信号レベルと関連づけがなされていることを特徴とする表示装置。
【請求項２６】
前記第３の駆動手段は、１つの表示フレーム内で、画素に対する映像信号の示す階調レベル表示を行う出力タイミングと前記階調レベル未満表示を行う出力タイミングとを、走査信号線毎に又は複数の走査信号線毎に切り替える出力タイミング切替え手段を有していることを特徴とする請求項２５記載の表示装置。
【請求項２７】
複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置の駆動装置において、
複数の表示フレームからなる映像信号を表示するときに、該複数の表示フレームにおける少なくとも１つの表示フレーム内において、データ信号線へ供給するデータ信号が上記映像信号の示す階調レベル表示と、上記映像信号の示す階調レベル未満の信号を含む階調レベル未満表示とを出力タイミングをずらすことにより混在させて駆動する第３の駆動手段を有し、該階調レベル未満の信号は前表示フレームの信号レベルと関連づけがなされていることを特徴とする表示装置の駆動装置。
【請求項２８】
前記第３の駆動手段は、１つの表示フレーム内で、画素に対する映像信号の示す階調レベル表示を行う出力タイミングと前記階調レベル未満表示を行う出力タイミングとを、走査信号線毎に又は複数の走査信号線毎に切り替える出力タイミング切替え手段を有していることを特徴とする請求項２７記載の表示装置の駆動装置。
【請求項２９】
複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置の表示方法において、
複数の表示フレームからなる映像信号を表示するときに、該複数の表示フレームにおける少なくとも１つの表示フレーム内において、データ信号線へ供給するデータ信号が上記映像信号の示す階調レベル表示と、上記映像信号の示す階調レベル未満の信号を含む階調レベル未満表示とを出力タイミングをずらすことにより混在させて駆動し、かつ該階調レベル未満の信号は前表示フレームの信号レベルと関連づけがなされていることを特徴とする表示装置の表示方法。
【請求項３０】
前記第３の駆動手段は、１つの表示フレーム内で、画素に対する映像信号の示す階調レベル表示を行う出力タイミングと前記階調レベル未満表示を行う出力タイミングとを、走査信号線毎に又は複数の走査信号線毎に切り替えることを特徴とする請求項２７記載の表示装置の表示方法。
【発明の詳細な説明】
【技術分野】
【０００１】
本発明は、ホールド特性型の表示素子を用いた表示装置、その駆動装置、及び表示装置の表示方法に関し、特にマトリクス状に配列された表示素子群を有する表示装置の動画性能改善技術に関するものである。
【背景技術】
【０００２】
従来、テレビ等の表示装置においては、ＣＲＴ（Cathode-Ray Tube)が主流であったが、近年、省スペース・省電力の特徴に加え、視野角・コントラスト・色再現性等の性能が向上してきたこともあり、液晶表示装置、その中でもマトリクス型の液晶表示装置がＣＲＴにとって代わろうとしている。
【０００３】
マトリクス型の液晶表示装置は、表示領域に複数の走査信号線と、その走査信号線に対して走査信号を出力する走査信号線駆動回路（ゲートドライバ）と、該複数の走査信号線と略垂直に交差するように設けられた複数のデータ信号線と、そのデータ信号線に対して表示信号に対応するデータ信号を出力するデータ信号線駆動回路（データドライバ）と、上記走査信号線駆動回路とデータ信号線駆動回路とを制御する制御回路（コントローラ）と、上記走査信号線とデータ信号線との交差する箇所に画素制御用のスイッチとしてＴＦＴ（Thin Film Transistor：薄膜トランジスタ）を配し、上記走査信号にて選択したＴＦＴに接続された画素電極にデータ信号を印加し、対向電極との電位差によって液晶画素の配向を制御するものである。
【０００４】
ところで、液晶は容量性負荷であるため、データ信号電圧を画素電極に印加すると、印加されたデータ信号電圧に応じて変化した配向状態を保持する性質（ホールド特性）がある。このため、ＣＲＴ等と比べてちらつきのない表示画面が得られる反面、液晶自身の応答速度が遅く、特に中間調の応答が映像入力信号の１フレーム期間で十分に応答しないために、動画表示の場合に残像が見られるといった表示品位低下の問題がある。
【０００５】
また、上記ＴＦＴが非選択の間は、対応する画素に書き込まれたデータ信号が保持され続ける。そのために、例えば、液晶の応答速度を速くしたとしても、人間の視線が動画を追跡するが故の網膜上の残像が存在する。その結果、表示品位が低下するという問題もある。
【０００６】
そこで、上記問題を解決するために、例えば、特許文献１に開示された液晶表示方法が提案されている。
【０００７】
この特許文献１に開示された液晶表示方法では、図１２に示すように、画面を画素アレイ１０１ａと画素アレイ１０１ｂとに上下２分割する。そして、フレーム期間の前半では、上画面を信号走査すると同時に下画面を黒信号（ブランキング）走査する一方、フレーム期間の後半では、上記上画面を黒信号（ブランキング）走査すると同時に下画面を信号走査する。
【０００８】
上記液晶表示方法によれば、一画素に着目すると、図１３に示すように、１フレーム期間中に必ず画像表示期間と黒表示期間との両方があり、特に黒表示期間の存在によって、前後のフレームデータが混在することなく画像を表示することが可能となる。したがって、動画の残像に伴う表示性能を改善することができる。
【特許文献１】特開平１１−１０９９２１号公報（１９９９年４月２３日公開）
【発明の開示】
【発明が解決しようとする課題】
【０００９】
しかしながら、上記従来の液晶表示方法では、１フレーム期間前後を前半と後半とに分割し、さらに画面を上下２分割している。そして、１フレーム期間の前半では、上画面を信号走査すると同時に下画面を黒信号(ブランキング)走査する。一方、１フレーム期間の後半では、上画面を黒信号(ブランキング)走査すると同時に下画面を信号走査している。      
【００１０】
このため、上画面か下画面のいずれかがいつも黒表示することになり、表示画面全体の輝度低下を招くことになる。
【００１１】
本発明は、上記従来の問題点に鑑みなされたものであって、その目的は、画面の輝度低下を発生させずに、かつ動画表示の場合に見られる残像による表示品位低下を防止し得る表示装置、その駆動装置、及び表示装置の表示方法を提供することにある。
【課題を解決するための手段】
【００１２】
本発明の表示装置は、上記課題を解決するために、複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置において、複数の表示フレームからなる映像信号を表示するときに、該複数の表示フレームにおける少なくとも１つの表示フレームを、データ信号線へ供給するデータ信号が上記映像信号の示す階調レベル未満の信号を含む階調レベル未満表示フレームとなるように駆動する第１の駆動手段を有し、該階調レベル未満の信号は前表示フレームの信号レベルと関連づけがなされていることを特徴としている。
【００１３】
また、本発明の表示装置の駆動装置は、上記課題を解決するために、複数の走査信号線と、映像信号がデータ信号として供給される複数のデータ信号線と、上記走査信号線とデータ信号線との交点に対応してスイッチ部を介して接続された画素をマトリクス状に配置した表示部とを有するデータ保持型表示装置の駆動装置において、複数の表示フレームからなる映像信号を表示するときに、該複数の表示フレームにおける少なくとも１つの表示フレームを、データ信号線へ供給するデータ信号が上記映像信号の示す階調レベル未満の信号を含む階調レベル未満表示フレームとなるように駆動する第１の駆動手段を有し、該階調レベル未満の信号は前表示フレームの信号レベルと関連づけがなされていることを特徴としている。
【００１４】
また、本発明の表示装置の表示方法は、上記課題を解決するために、複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置の表示方法において、複数の表示フレームからなる映像信号を表示するときに、該複数の表示フレームにおける少なくとも１つの表示フレームを、データ信号線へ供給するデータ信号が上記映像信号の示す階調レベル未満の信号を含む階調レベル未満表示フレームとなるように表示し、かつ該階調レベル未満の信号は前表示フレームの信号レベルと関連づけがなされていることを特徴としている。
【００１５】
本発明の表示装置、その駆動装置、及び表示装置の表示方法では、第１の駆動手段にて、複数の表示フレームからなる映像信号を表示するときに、該複数の表示フレームにおける少なくとも１つの表示フレームを、データ信号線へ供給するデータ信号が上記映像信号の示す階調レベル未満の信号を含む階調レベル未満表示フレームとなるように駆動し、表示する。
【００１６】
すなわち、例えば液晶表示装置等の表示装置では、データ信号電圧を画素電極に印加すると、印加されたデータ信号電圧に応じて変化した配向状態を保持するデータ保持性があるので、動画表示の場合に残像が見られるといった表示品位低下が生じる。
【００１７】
この点、本発明では、複数の表示フレームにおける少なくとも１つの表示フレームが、本来のデータ信号線への信号出力レベルが映像信号の示す階調レベルと同一又はそれ以上のレベルである階調レベル表示フレームに比べて小さい階調レベル未満表示フレームとなっている。そして、該階調レベル未満の信号は前表示フレームの信号レベルと関連づけがなされている。
【００１８】
それゆえ、外部からの制御によりデータ保持型素子を用いた表示装置を、レベル減衰型のＣＲＴのように表示することが可能となる。
【００１９】
また、本発明では、上画面か下画面のいずれかが常時黒表示となっているわけではないので、表示画面全体の輝度低下も生じない。
【００２０】
したがって、画面の輝度低下を発生させずに、かつ動画表示の場合に見られる残像による表示品位低下を防止し得る表示装置、その駆動装置、及び表示装置の表示方法を提供することができる。
【００２１】
また、本発明の表示装置は、上記課題を解決するために、複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置において、複数の表示フレームからなる映像信号における少なくとも１表示フレーム分の映像信号データを記憶する記憶手段と、１垂直期間内に、上記記憶手段に記憶された１表示フレーム分の映像信号データを、ｎ倍速（ｎは２以上の整数）にてｎ回出力させると共に、該ｎ回のｎ倍速表示フレームのうち少なくとも１回のｎ倍速表示フレームを、データ信号線へ供給するデータ信号が上記映像信号の示す階調レベル未満の信号を含む階調レベル未満表示フレームとなるように駆動する第２の駆動手段とを有し、該階調レベル未満の信号は前表示フレームの信号レベルと関連づけがなされていることを特徴としている。
【００２２】
また、本発明の表示装置の駆動装置は、上記課題を解決するために、複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置の駆動装置において、複数の表示フレームからなる映像信号における少なくとも１表示フレーム分の映像信号データを記憶する記憶手段と、１垂直期間内に、上記記憶手段に記憶された１表示フレーム分の映像信号データを、ｎ倍速（ｎは２以上の整数）にてｎ回出力させると共に、該ｎ回のｎ倍速表示フレームのうち少なくとも１回のｎ倍速表示フレームを、データ信号線へ供給するデータ信号が上記映像信号の示す階調レベル未満の信号を含む階調レベル未満表示フレームとなるように駆動する第２の駆動手段とを有し、該階調レベル未満の信号は前表示フレームの信号レベルと関連づけがなされていることを特徴としている。
【００２３】
また、本発明の表示装置の表示方法は、上記課題を解決するために、複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置の表示方法において、複数の表示フレームからなる映像信号における少なくとも１表示フレーム分の映像信号データを記憶し、記憶された１表示フレーム分の映像信号データを、１垂直期間内に、ｎ倍速（ｎは２以上の整数）にてｎ回出力させると共に、該ｎ回のｎ倍速表示フレームのうち少なくとも１回のｎ倍速表示フレームを、データ信号線へ供給するデータ信号が上記映像信号の示す階調レベル未満の信号を含む階調レベル未満表示フレームとなるように表示し、かつ該階調レベル未満の信号は前表示フレームの信号レベルと関連づけがなされていることを特徴としている。
【００２４】
すなわち、前記発明のタイミングで制御していた表示装置では、階調レベル未満表示フレームとして減衰させて画素上に印加する必要があるため、映像信号のフレームレートが十分高くなければ、階調レベル未満表示フレームが、場合によっては、フリッカーのように見える。
【００２５】
そこで、本発明の表示装置、その駆動装置、及び表示装置の表示方法では、まず、複数の表示フレームからなる映像信号における少なくとも１表示フレーム分の映像信号データを記憶手段に記憶する。そして、記憶された１表示フレーム分の映像信号データを、１垂直期間内に、ｎ倍速（ｎは２以上の整数）にてｎ回出力させる。このとき、該ｎ回のｎ倍速表示フレームのうち少なくとも１回のｎ倍速表示フレームを、データ信号線へ供給するデータ信号が上記映像信号の示す階調レベル未満の信号を含む階調レベル未満表示フレームとなるように駆動、表示する。そして、該階調レベル未満の信号は前表示フレームの信号レベルと関連づけがなされている。
【００２６】
それゆえ、このようなタイミングで制御すれば、一旦、映像信号はｎ倍速に変換され、一方を階調レベル表示フレーム、他方を階調レベル未満表示フレームとして扱うために、元の映像信号と比較してもフレームレートの低下がないので、フリッカーを発生させることがない。
【００２７】
したがって、確実に、画面の輝度低下を発生させずに、かつ動画表示の場合に見られる残像による表示品位低下を防止し得る表示装置、その駆動装置、及び表示装置の表示方法を提供することができる。
【００２８】
また、本発明の表示装置は、上記記載の表示装置において、前記第１の駆動手段は、前記階調レベル未満表示フレームの直前の表示フレームに対しては、データ信号線への信号出力レベルが映像信号の示す階調レベルと同一又はそれ以上のレベルである階調レベル表示フレームとなるように駆動することを特徴としている。
【００２９】
また、本発明の表示装置は、上記記載の表示装置において、前記第２の駆動手段は、前記階調レベル未満表示フレームの直前のｎ倍速表示フレームに対しては、データ信号線への信号出力レベルが映像信号の示す階調レベルと同一又はそれ以上のレベルである階調レベル表示フレームとなるように駆動することを特徴としている。
【００３０】
上記の発明によれば、第１の駆動手段、及び第２の駆動手段は、階調レベル未満表示フレームの直前の表示フレームに対しては、階調レベル表示フレームとなるように駆動する。
【００３１】
それゆえ、映像信号よりも低いレベルで画素に印加する階調レベル未満表示フレームが連続しないので、必要以上に輝度低下を起さなくて済む。また、応答性の観点からも有利である。
【００３２】
また、本発明の表示装置は、上記記載の表示装置において、前記第１の駆動手段は、前記データ信号線への信号出力レベルが、映像信号が示す階調レベルよりも低い階調レベルとするために、データ信号線への出力タイミングをずらすことを特徴としている。
【００３３】
また、本発明の表示装置は、上記記載の表示装置において、前記第２の駆動手段は、前記データ信号線への信号出力レベルが、映像信号が示す階調レベルよりも低い階調レベルとするために、データ信号線への出力タイミングをずらすことを特徴としている。
【００３４】
上記の発明によれば、第１の駆動手段、及び第２の駆動手段は、データ信号線への信号出力レベルが、映像信号が示す階調レベルよりも低い階調レベルとするために、データ信号線への出力タイミングをずらす。
【００３５】
それゆえ、表示フレーム間に単に黒挿入する場合と違い、必要以上に輝度低下させずに済む。
【００３６】
また、本発明の表示装置は、上記記載の表示装置において、前記第１の駆動手段は、前記データ信号線への出力タイミングをずらすため、ラッチ信号のタイミングを制御することを特徴としている。
【００３７】
また、本発明の表示装置は、上記記載の表示装置において、前記第２の駆動手段は、前記データ信号線への出力タイミングをずらすため、ラッチ信号のタイミングを制御することを特徴としている。
【００３８】
また、本発明の表示装置は、上記記載の表示装置において、前記第１の駆動手段は、前記データ信号線への出力タイミングをずらすため、ラッチ信号のタイミングを１垂直期間毎に制御することを特徴としている。
【００３９】
また、本発明の表示装置は、上記記載の表示装置において、前記第２の駆動手段は、前記データ信号線への出力タイミングをずらすため、ラッチ信号のタイミングをｎ倍速表示フレーム毎に制御することを特徴としている。
【００４０】
上記の発明によれば、第１の駆動手段、及び第２の駆動手段は、データ信号線への出力タイミングをずらすため、ラッチ信号のタイミングを制御する。さらに、そのラッチ信号のタイミングは、１垂直期間毎又はｎ倍速表示フレーム毎に制御するのが好ましい。
【００４１】
それゆえ、映像信号に手を加える必要がないので、データの変更が容易である。また、その調整幅もラッチ信号の設定の範囲内にてできるので、調整範囲が大きく、フレキシブルである。
【００４２】
また、本発明の表示装置は、上記記載の表示装置において、前記第１の駆動手段は、前記階調レベル表示フレームとそれに続く階調レベル未満表示フレームとを一対の表示フレームとし、該一対の表示フレーム単位でデータ信号線への信号極性を切り替えることを特徴としている。
【００４３】
また、本発明の表示装置は、上記記載の表示装置において、前記第２の駆動手段は、前記階調レベル表示フレームとそれに続く階調レベル未満表示フレームとを一対の表示フレームとし、該一対の表示フレーム単位でデータ信号線への信号極性を切り替えることを特徴としている。
【００４４】
上記の発明によれば、第１の駆動手段、及び第２の駆動手段は、階調レベル表示フレームとそれに続く階調レベル未満表示フレームとを一対の表示フレームとし、該一対の表示フレーム単位でデータ信号線への信号極性を切り替える。
【００４５】
それゆえ、極性が特定の方向に偏ることを防止することができる。
【００４６】
また、本発明の表示装置は、上記記載の表示装置において、前記第１の駆動手段は、前記データ信号線への信号出力の極性反転を、前記階調レベル表示フレーム、階調レベル未満表示フレームの別を問わず、複数の表示フレーム毎に切り替えることを特徴としている。
【００４７】
また、本発明の表示装置は、上記記載の表示装置において、前記第１の駆動手段は、前記データ信号線への信号出力の極性反転を、前記階調レベル表示フレーム、階調レベル未満表示フレームの別を問わず、表示フレーム毎に切り替えることを特徴としている。
【００４８】
上記の発明によれば、階調レベル表示フレームと階調レベル未満表示フレームとが一対でない場合においても、その信号極性が特定の方向に偏ることを防止することができる。
また、本発明の表示装置は、上記記載の表示装置において、前記第１の駆動手段は、前記階調レベル表示フレームと階調レベル未満表示フレームとの境界となる表示フレームをランダムに切り替えることを特徴としている。
【００４９】
また、本発明の表示装置は、上記記載の表示装置において、前記第２の駆動手段は、前記データ信号線への信号出力の極性反転を、前記階調レベル表示フレーム、階調レベル未満表示フレームの別を問わず、その境界となるフレーム位置をランダムに切り替えることを特徴としている。
【００５０】
また、本発明の表示装置は、上記記載の表示装置において、前記第１の駆動手段は、前記データ信号線への信号出力の極性反転を、前記階調レベル表示フレーム、階調レベル未満表示フレームの別を問わず、その境界となるフレーム位置をランダムに切り替えることを特徴としている。
【００５１】
上記の発明によれば、第１の駆動手段は、階調レベル表示フレームと階調レベル未満表示フレームとの境界となる表示フレームをランダムに切り替える。
【００５２】
また、第１の駆動手段及び第２の駆動手段は、データ信号線への信号出力の極性反転を、前記階調レベル表示フレーム、階調レベル未満表示フレームの別を問わず、その境界となるフレーム位置をランダムに切り替える。
【００５３】
それゆえ、特に、階調レベル表示フレームと階調レベル未満表示フレームとの切り替えが所定の周期で行われた場合には、キラーパターンと言われる特定の表示品位の劣化を引き起こす固定パターン（静止画）が存在する可能性があるが、本発明では、そのランダム性ゆえに、キラーパターンが存在し得ない。
【００５４】
また、本発明の表示装置は、上記記載の表示装置において、前記第１の駆動手段は、映像信号が複数の表示フレームからなる動画であるか又は静止画であるかを判断する判断手段を有していると共に、判断手段による判断が動画である場合に、階調レベル未満表示フレームとなるように駆動することを特徴としている。
【００５５】
また、本発明の表示装置は、上記記載の表示装置において、前記第２の駆動手段は、映像信号が複数の表示フレームからなる動画であるか又は静止画であるかを判断する判断手段を有していると共に、判断手段による判断が動画である場合に、階調レベル未満表示フレームとなるように駆動することを特徴としている。
【００５６】
また、本発明の表示装置の表示方法は、上記記載の表示装置の表示方法において、映像信号が複数の表示フレームからなる動画であるか又は静止画であるかを判断し、動画である場合に、階調レベル未満表示フレームとなるように表示することを特徴としている。
【００５７】
上記の発明によれば、判断手段にて、映像信号が複数の表示フレームからなる動画であるか又は静止画であるかを判断し、その結果が動画である場合に、階調レベル未満表示フレームとなるように駆動し、表示する。
【００５８】
それゆえ、本来、表示装置は、静止画表示にはちらつきが発生しないという利点があり、この利点を保つためには、動画時のみに本発明の処理を施せば、データ保持型素子の持つ長所を生かしながら、動画性能の改善を図ることが可能である。
【００５９】
また、本発明の表示装置は、上記課題を解決するために、複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置において、複数の表示フレームからなる映像信号を表示するときに、該複数の表示フレームにおける少なくとも１つの表示フレーム内において、データ信号線へ供給するデータ信号が上記映像信号の示す階調レベル表示と、上記映像信号の示す階調レベル未満の信号を含む階調レベル未満表示とを出力タイミングをずらすことにより混在させて駆動する第３の駆動手段を有し、該階調レベル未満の信号は前表示フレームの信号レベルと関連づけがなされていることを特徴としている。
【００６０】
また、本発明の表示装置の駆動装置は、上記課題を解決するために、複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置の駆動装置において、複数の表示フレームからなる映像信号を表示するときに、該複数の表示フレームにおける少なくとも１つの表示フレーム内において、データ信号線へ供給するデータ信号が上記映像信号の示す階調レベル表示と、上記映像信号の示す階調レベル未満の信号を含む階調レベル未満表示とを出力タイミングをずらすことにより混在させて駆動する第３の駆動手段を有し、該階調レベル未満の信号は前表示の信号レベルと関連づけがなされていることを特徴としている。
【００６１】
また、本発明の表示装置の表示方法は、上記課題を解決するために、複数の走査信号線と、映像信号がデータ信号として供給される複数のデータ信号線と、上記走査信号線とデータ信号線との交点に対応してスイッチ部を介して接続された画素をマトリクス状に配置した表示部とを有する表示装置の表示方法において、複数の表示フレームからなる映像信号を表示するときに、該複数の表示フレームにおける少なくとも１つの表示フレーム内において、データ信号線へ供給するデータ信号が上記映像信号の示す階調レベル表示と、上記映像信号の示す階調レベル未満の信号を含む階調レベル未満表示とを出力タイミングをずらすことにより混在させて駆動し、かつ該階調レベル未満の信号は前表示の信号レベルと関連づけがなされていることを特徴としている。
【００６２】
すなわち、前記記載の発明では、画素への完全充電と不完全充電とをフレーム単位で切り替えて行っているが、必ずしもこれに限らず、完全充電と不完全充電とを１フレーム間に混在させることが可能である。
【００６３】
そこで、本発明では、第３の駆動手段は、１つの表示フレーム内において、データ信号線へ供給するデータ信号が上記映像信号の示す階調レベル表示と、上記映像信号の示す階調レベル未満の信号を含む階調レベル未満表示とを出力タイミングをずらすことにより混在させて駆動する。そして、該階調レベル未満の信号は前表示の信号レベルと関連づけがなされている。
【００６４】
これによって、１つの表示フレーム内において、画面の輝度低下を発生させずに、かつ動画表示の場合に見られる残像による表示品位低下を防止し得る表示装置、その駆動装置、及び表示装置の表示方法を提供することができる。
【００６５】
また、本発明の表示装置は、上記記載の表示装置において、前記第３の駆動手段は、１つの表示フレーム内で、画素に対する映像信号の示す階調レベル表示を行う出力タイミングと前記階調レベル未満表示を行う出力タイミングとを、走査信号線毎に又は複数の走査信号線毎に切り替える出力タイミング切替え手段を有していることを特徴としている。
【００６６】
また、本発明の表示装置の駆動装置は、上記記載の表示装置の駆動装置において、前記第３の駆動手段は、１つの表示フレーム内で、画素に対する映像信号の示す階調レベル表示を行う出力タイミングと前記階調レベル未満表示を行う出力タイミングとを、走査信号線毎に又は複数の走査信号線毎に切り替える出力タイミング切替え手段を有していることを特徴としている。
【００６７】
また、本発明の表示装置の表示方法は、上記記載の表示装置の表示方法において、前記第３の駆動手段は、１つの表示フレーム内で、画素に対する映像信号の示す階調レベル表示を行う出力タイミングと前記階調レベル未満表示を行う出力タイミングとを、走査信号線毎に又は複数の走査信号線毎に切り替えることを特徴としている。
【００６８】
上記の発明によれば、出力タイミング切替え手段にて、１つの表示フレーム内で、画素に対する映像信号の示す階調レベル表示を行う出力タイミングと前記階調レベル未満表示を行う出力タイミングとを、走査信号線毎に又は複数の走査信号線毎に切り替えることによって、従来のように表示領域を分割したりする必要がなく、簡単にかつ安価に出力タイミングを切り替えることができる。
【発明の効果】
【００６９】
本発明の表示装置、その駆動装置、及び表示装置の表示方法では、第１の駆動手段にて、複数の表示フレームからなる映像信号を表示するときに、該複数の表示フレームにおける少なくとも１つの表示フレームを、データ信号線へ供給するデータ信号が上記映像信号の示す階調レベル未満の信号を含む階調レベル未満表示フレームとなるように駆動し、表示する。
【００７０】
すなわち、例えば液晶表示装置等の表示装置では、データ信号電圧を画素電極に印加すると、印加されたデータ信号電圧に応じて変化した配向状態を保持するデータ保持性があるので、動画表示の場合に残像が見られるといった表示品位低下が生じる。
【００７１】
この点、本発明では、複数の表示フレームにおける少なくとも１つの表示フレームが、本来のデータ信号線への信号出力レベルが映像信号の示す階調レベルと同一又はそれ以上のレベルである階調レベル表示フレームに比べて小さい階調レベル未満表示フレームとなっている。そして、該階調レベル未満の信号は前表示フレームの信号レベルと関連づけがなされている。
【００７２】
それゆえ、外部からの制御によりデータ保持型素子を用いた表示装置を、レベル減衰型のＣＲＴのように表示することが可能となる。
【００７３】
また、本発明では、上画面か下画面のいずれかが常時黒表示となっているわけではないので、表示画面全体の輝度低下も生じない。
【００７４】
したがって、画面の輝度低下を発生させずに、かつ動画表示の場合に見られる残像による表示品位低下を防止し得る表示装置、その駆動装置、及び表示装置の表示方法を提供することができるという効果を奏する。
【００７５】
ところで、前記発明のタイミングで制御していたデータ保持型表示装置では、階調レベル未満表示フレームとして減衰させて画素上に印加する必要があるため、映像信号のフレームレートが十分高くなければ、階調レベル未満表示フレームが、場合によっては、フリッカーのように見える。
【００７６】
そこで、本発明の表示装置、その駆動装置、及び表示装置の表示方法では、まず、複数の表示フレームからなる映像信号における少なくとも１表示フレーム分の映像信号データを記憶手段に記憶する。そして、記憶された１表示フレーム分の映像信号データを、１垂直期間内に、ｎ倍速（ｎは２以上の整数）にてｎ回出力させる。このとき、該ｎ回のｎ倍速表示フレームのうち少なくとも１回のｎ倍速表示フレームを、データ信号線へ供給するデータ信号が上記映像信号の示す階調レベル未満の信号を含む階調レベル未満表示フレームとなるように駆動、表示し、かつ該階調レベル未満の信号は前表示フレームの信号レベルと関連づけがなされている。
【００７７】
それゆえ、このようなタイミングで制御すれば、一旦、映像信号はｎ倍速に変換され、一方を階調レベル表示フレーム、他方を階調レベル未満表示フレームとして扱うために、元の映像信号と比較してもフレームレートの低下がないので、フリッカーを発生させることがない。
【００７８】
したがって、確実に、画面の輝度低下を発生させずに、かつ動画表示の場合に見られる残像による表示品位低下を防止し得る表示装置、その駆動装置、及び表示装置の表示方法を提供するという効果を奏する。
【００７９】
ところで、前記記載の発明では、画素への完全充電と不完全充電とをフレーム単位で切り替えて行っているが、必ずしもこれに限らず、完全充電と不完全充電とを１フレーム間に混在させることが可能である。
【００８０】
そこで、本発明の表示装置、その駆動装置、及び表示装置の表示方法では、第３の駆動手段は、１つの表示フレーム内において、データ信号線へ供給するデータ信号が上記映像信号の示す階調レベル表示と、上記映像信号の示す階調レベル未満の信号を含む階調レベル未満表示とを出力タイミングをずらすことにより混在させて駆動する。そして、該階調レベル未満の信号は前表示の信号レベルと関連づけがなされている。
【００８１】
これによって、１つの表示フレーム内において、画面の輝度低下を発生させずに、かつ動画表示の場合に見られる残像による表示品位低下を防止し得る表示装置、その駆動装置、及び表示装置の表示方法を提供することができるという効果を奏する。
【発明を実施するための最良の形態】
【００８２】
〔実施の形態１〕
本発明の一実施形態について図１ないし図８に基づいて説明すれば、以下の通りである。尚、本実施の形態では表示装置としての液晶表示装置について説明するが、本発明の表示装置はデータ保持型の表示装置に適用可能なものであるため、必ずしも液晶表示装置に限定するものではない。また、図に示す構成はあくまでも本発明の実施の形態を説明するためのものであり、本発明はここに記載の構成のみを示しているものではない。
【００８３】
本実施の形態のアクティブマトリクス型の液晶表示装置は、図２（ａ）に示すように、表示部としての表示領域１と、複数の走査信号線Ｇ…と、その走査信号線Ｇ…に対して走査信号を出力する表示装置の駆動装置としての走査信号線駆動回路（ゲートドライバ）ＧＤと、該複数の走査信号線Ｇ…と略垂直に交差するように設けられた複数のデータ信号線Ｄ…と、そのデータ信号線Ｄ…に対して表示信号に対応するデータ信号を出力する表示装置の駆動装置及び第１の駆動手段としてのデータ信号線駆動回路（データドライバ）ＳＤとを有している。また、走査信号線駆動回路（ゲートドライバ）ＧＤ及びデータ信号線駆動回路ＳＤに制御信号等を供給する制御回路ＣＮＴには、図２（ｂ）に示すように、判断手段としてのＣＰＵ１１と記憶手段としてのメモリ１２が設けられている。
【００８４】
本実施の形態では、上記走査信号線Ｇ…がｎ本、データ信号線Ｄ…がｍ本ある。さらに走査信号線Ｇ…のｎ本を駆動するための走査信号線駆動回路（ゲートドライバ）ＧＤが５個、データ信号線Ｄ…のｍ本を駆動するためのデータ信号線駆動回路（データドライバ）ＳＤが４個割り当てられている。
【００８５】
また、図３に示すように、走査信号線Ｇ…は、表示領域１上の画素毎に存在するＴＦＴ（Thin Film Transistor：薄膜トランジスタ）２のゲートに接続され、データ信号線Ｄは同様にそのＴＦＴ２のソースに接続されている。走査信号線Ｇがアクティブな状態となったときに、そこに接続されているＴＦＴ２がデータ信号線Ｄからデータ信号を画素電極３に取り込む。走査信号線Ｇがノンアクティブのときは、ＴＦＴ２に接続されている画素電極３に印加した電荷を保持する。つまり、データを保持する。
【００８６】
次に、上記液晶表示装置の主要な駆動信号について、図４及び図１に基いて説明する。
【００８７】
図４に示すように、映像信号ＦＤは、１垂直同期（１Ｖ）毎にＦＤ０、ＦＤ１、ＦＤ２、ＦＤ３…というように、液晶表示装置に入力される。ここで、例えば、液晶表示装置の駆動タイミングが映像信号の入力タイミングと同じタイミングで行われるのであれば、この映像信号をデータ信号線Ｄのデータ信号としてもよい。本実施の形態でも、説明の容易性から上記タイミングが同じであるとして説明を続ける。
【００８８】
一方、走査信号Ｇ１〜Ｇｎは、映像信号の入力タイミングに合わせて、順次出力される。このとき、ある特定の画素についての信号に着目すると、図１に示すようになる。同図において、データバス電圧とはデータ信号線Ｄに供給される電圧を指している。また、ＳＴは、スタートパルスを示しており、データ信号線駆動回路ＳＤ内における映像信号の入力タイミングを制御するものである。ＬＴは、ラッチパルスであり、データ信号線駆動回路ＳＤからデータ信号線Ｄへデータ信号を出力するタイミングを制御するものである。なお、同図では、スタートパルスＳＴとラッチパルスＬＴとが同じタイミングとなっているが、使用される目的が異なるので、全く同じタイミングである必要はない。
【００８９】
同図において、走査信号Ｇ１、Ｇ２とラッチパルスＬＴとの位相関係に注目すると、映像信号ＦＤ０領域及び映像信号ＦＤ２領域のときと映像信号ＦＤ１領域及び映像信号ＦＤ３領域のときとでは、若干タイミングのズレＤｔがある。すなわち、本実施の形態では、映像信号ＦＤ１領域及び映像信号ＦＤ３領域のときは、ラッチパルスＬＴの走査信号Ｇ１、Ｇ２への位相を後ろにずらしているのが分かる。つまり、各フレームの映像信号ＦＤ…に対して、走査信号Ｇ１の立ち上がりと同時にラッチパルスＬＴをＯＮするフレームと、走査信号Ｇ１の立ち上がりからズレＤｔの後にラッチパルスＬＴをＯＮするフレームとが交互になっている。
【００９０】
このようにすることによって、データ信号線Ｄ（データバス）の充電開始からＴＦＴ画素への印加電圧（充電量）を可変している。つまり、映像信号ＦＤ１領域及び映像信号ＦＤ３領域では、画素への充電が完全に行われない状態になる。このように、外部から映像信号に手を加えることなく、データ信号線Ｄへの充電量を意図的に制御することにより、完全充電する画素（ＦＤ０−Ｇ１、ＦＤ０−Ｇ２、ＦＤ２−Ｇ１、ＦＤ２−Ｇ２）と、不完全充電する画素（ＦＤ１−Ｇ１、ＦＤ１−Ｇ２、ＦＤ３−Ｇ１、ＦＤ３−Ｇ２）とを生成し、それら画素を切り替えることにより、液晶表示装置のようなデータ保持型の表示装置であってもＣＲＴ（Cathode-Ray Tube)と同様な駆動に近づけることができる。なお、この場合、映像信号ＦＤ０領域及び映像信号ＦＤ２領域で完全充電を行い、映像信号ＦＤ１領域及び映像信号ＦＤ３領域で不完全充電を行うというように、完全充電フレームと不完全充電フレームとを交互に繰り返すことを示したが、方法は必ずしもこれに限らない。ただし、不完全充電画素の直前フレームの画素が完全充電画素である方が、応答性及び輝度確保の点からも有効と考えられる。
【００９１】
ところで、液晶表示装置は、素子特性上、画素電極３に印加する信号を交流にて駆動している。したがって、前記図１に示す駆動タイミングを実施した際の画素極性配列は、例えば、図５（ａ）〜（ｄ）ないし図７（ａ）〜（ｄ）に示すようになる。図５（ａ）〜（ｄ）はライン反転駆動、図６（ａ）〜（ｄ）はドット反転駆動、図７（ａ）〜（ｄ）は２ラインドット反転駆動と呼ばれるものである。いずれの場合も、交流駆動を行うために極性反転を行っているが、画素における極性の偏りがないように、２フレーム単位で画素極性を反転しているのが分かる。
【００９２】
上記の極性反転駆動をしたときの各画素の充電状態は、図８（ａ）（ｂ）（ｃ）に示すようになる。上記図５（ａ）〜（ｄ）ないし図７（ａ）〜（ｄ）に示す極性反転は、図８（ａ）におけるケース１に相当しており、奇数フレームでは完全充電（ＦＣ：Full Charge)であり、偶数フレームでは不完全充電（ＩＣ：Imperfect Charge)となっている。
【００９３】
なお、図５（ａ）〜（ｄ）ないし図７（ａ）〜（ｄ）は、２フレーム毎に極性反転しているが、画素における極性に偏りがなければよいのであれば、図８（ａ）におけるケース１の括弧書きに示すように、例えば、ケース１の場合は４フレーム毎に極性反転してもよいのは言うまでもない。
【００９４】
また、図８（ｂ）のケース２に示すように、「ＦＣ、ＩＣ、ＦＣ」のパターンを周期的に繰り返すことも可能であり、完全充電画素（ＦＣ）と不完全充電画素（ＩＣ）との比率を必ずしも１対１にしなくてもよい。しかしながら、この場合、不完全充電画素（ＩＣ）が２フレーム以上連続することは応答性や必要以上に輝度低下を起さないために好ましくないことは、上述したとおりである。
【００９５】
さらに、画素における極性反転とのバランスがとれればよいのであるから、図８のケース２の場合において、図８（ｃ）のケース３に示すように、画素電極３の極性を必要に応じて４フレーム又はそれ以外のフレーム単位で切り替えてもよい。図８（ｃ）のケース３は、１フレーム単位で切り替えたものとなっている。
【００９６】
また、上記の極性反転の応用例として、極性反転周期そのものを可変するように制御してもよい。例えば、極性反転周期をランダムに可変する場合は、極性切り替え用のランダム信号源として、既成のノイズ発生器や、或いはＲＯＭ（Read Only Memory)等の記憶装置にランダム性のデータを予め入力し、そのデータを読み出すようにしてもよい。
【００９７】
また、データ保持型の表示装置の長所であるちらつきのない表示は、映像信号が静止画であれば有効であるため、上記の残像対策は、動画時に行うのがより効果的であると言える。このため、ＣＰＵ１１による動画／静止画の判別情報を得て、動画時にのみ上記残像対策を行うようにすればよい。このときの動画／静止画の情報は、映像信号のフレーム間の階調データを比較してもよいが、例えば、映像信号がＭＰＥＧ（Moving Picture Expert Group）等の場合は、動画／静止画情報をＭＰＥＧ信号自身から得るようにしてもよい。
【００９８】
このように、本実施の形態の液晶表示装置及びその駆動装置、及び液晶表示装置の表示方法では、データ信号線駆動回路ＳＤにて、複数の表示フレームからなる映像信号を表示するときに、複数の表示フレームにおける少なくとも１つの表示フレームを、データ信号線へ供給するデータ信号が映像信号の示す階調レベル未満の信号を含む階調レベル未満表示フレームとなるように駆動し、表示する。さらに、該階調レベル未満の信号は前表示フレームの信号レベルと関連づけがなされている。
【００９９】
すなわち、液晶表示装置では、データ信号電圧を画素電極に印加すると、印加されたデータ信号電圧に応じて変化した配向状態を保持するデータ保持性があるので、動画表示の場合に残像が見られるといった表示品位低下が生じる。
【０１００】
この点、本実施の形態では、複数の表示フレームにおける少なくとも１つの表示フレームが、本来のデータ信号線への信号出力レベルが映像信号の示す階調レベルと同一又はそれ以上のレベルである階調レベル表示フレームに比べて小さい階調レベル未満表示フレームとなっている。そして、該階調レベル未満の信号は前表示フレームの信号レベルと関連づけがなされている。
【０１０１】
それゆえ、外部からの制御により、液晶を用いた表示装置を、レベル減衰型のＣＲＴのように表示することが可能となる。
【０１０２】
また、本実施の形態では、上画面か下画面のいずれかが常時黒表示となっているわけではないので、表示画面全体の輝度低下も生じない。
【０１０３】
したがって、画面の輝度低下を発生させずに、かつ動画表示の場合に見られる残像による表示品位低下を防止し得る液晶表示装置、その駆動装置、及び表示装置の表示方法を提供することができる。
【０１０４】
また、本実施の形態の液晶表示装置では、データ信号線駆動回路ＳＤは、階調レベル未満表示フレームの直前の表示フレームに対しては、階調レベル表示フレームとなるように駆動する。
【０１０５】
それゆえ、映像信号よりも低いレベルで画素に印加する階調レベル未満表示フレームが連続しないので、必要以上に輝度低下を起さなくて済む。また、応答性の観点からも有利である。
【０１０６】
また、本実施の形態の液晶表示装置では、データ信号線駆動回路ＳＤは、データ信号線Ｄへの信号出力レベルが、映像信号が示す階調レベルよりも低い階調レベルとするために、データ信号線への出力タイミングをずらす。
【０１０７】
それゆえ、表示フレーム間に単に黒挿入する場合と違い、必要以上に輝度低下させずに済む。
【０１０８】
また、本実施の形態の液晶表示装置では、データ信号線駆動回路ＳＤは、データ信号線Ｄへの出力タイミングをずらすため、ラッチ信号のタイミングを制御する。さらに、そのラッチ信号のタイミングは、１垂直期間毎に制御するのが好ましい。
【０１０９】
それゆえ、映像信号に手を加える必要がないので、データの変更が容易である。また、その調整幅もラッチ信号の設定の範囲内にてできるので、調整範囲が大きく、フレキシブルである。
【０１１０】
また、本実施の形態の液晶表示装置では、データ信号線駆動回路ＳＤは、階調レベル表示フレームとそれに続く階調レベル未満表示フレームとを一対の表示フレームとし、該一対の表示フレーム単位でデータ信号線への信号極性を切り替える。それゆえ、極性が特定の方向に偏ることを防止することができる。
【０１１１】
また、本実施の形態の液晶表示装置では、データ信号線駆動回路ＳＤは、データ信号線Ｄへの信号出力の極性反転を、階調レベル表示フレーム、階調レベル未満表示フレームの別を問わず、複数の表示フレーム毎又は表示フレーム毎に切り替える。
【０１１２】
それゆえ、階調レベル表示フレームと階調レベル未満表示フレームとが一対でない場合においても、その信号極性が特定の方向に偏ることを防止することができる。
【０１１３】
また、本実施の形態の液晶表示装置では、データ信号線駆動回路ＳＤは、階調レベル表示フレームと階調レベル未満表示フレームとの境界となる表示フレームをランダムに切り替える。
【０１１４】
また、データ信号線駆動回路ＳＤは、データ信号線Ｄへの信号出力の極性反転を、前記階調レベル表示フレーム、階調レベル未満表示フレームの別を問わず、その境界となるフレーム位置をランダムに切り替える。
【０１１５】
それゆえ、特に、階調レベル表示フレームと階調レベル未満表示フレームとの切り替えが所定の周期で行われた場合には、キラーパターンと言われる特定の表示品位の劣化を引き起こす固定パターン（静止画）が存在する可能性があるが、本実施の形態では、そのランダム性ゆえに、キラーパターンが存在し得ない。
【０１１６】
また、本実施の形態の液晶表示装置、及び液晶表示装置の表示方法では、ＣＰＵ１１にて、映像信号が複数の表示フレームからなる動画であるか又は静止画であるかを判断し、その結果が動画である場合に、階調レベル未満表示フレームとなるように駆動し、表示する。
【０１１７】
それゆえ、本来、液晶表示装置は、静止画表示にはちらつきが発生しないという利点があり、この利点を保つためには、動画時のみに本実施の形態の処理を施せば、液晶の持つ長所を生かしながら、動画性能の改善を図ることが可能である。
【０１１８】
なお、上記実施の形態１では、判断手段としてのＣＰＵ１１と記憶手段としてのメモリ１２が、データ信号線駆動回路ＳＤの中の有しているとして説明を行ったが、ＣＰＵ１１とメモリ１２が、データ信号線駆動回路の外部に有していてもよいことは、言うまでもない。また、判断手段としては、ＣＰＵ１１の他、レベルコンパレータ等を用いてもよい。
〔実施の形態２〕
本発明の他の実施の形態について図９及び図１０に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１１９】
本実施の形態の液晶表示装置の駆動方法を、図９及び図１０に基いて説明する。
【０１２０】
図９に示すように、映像信号ＦＤは、１垂直（１Ｖ）同期毎にＦＤ０、ＦＤ１、ＦＤ２…というように、液晶表示装置に入力される。
【０１２１】
このとき、本実施の形態の液晶表示装置では、１フレーム分のデータを記憶可能な前記図２（ｂ）に示すメモリ１２を用いて、映像信号ＦＤの入力タイミングにて、メモリ１２への書き込みを行う。したがって、本実施の形態では、映像信号ＦＤ１が入力されたときに、その前の映像信号ＦＤ０を出力するようになっている。
【０１２２】
また、それと同時に、本実施の形態では、少なくとも映像信号の１垂直期間（１Ｖ）に、メモリ１２に書き込んでいた映像信号ＦＤを少なくとも２回出力する。図９では倍速信号として映像信号の出力を行っている。つまり、倍速信号の映像信号ＦＤ０Ａは倍速信号の映像信号ＦＤ０Ｂと同じ信号であり、倍速信号の映像信号ＦＤ１Ａは倍速信号の映像信号ＦＤ１Ｂと同じ信号であることを示している。
【０１２３】
このとき、ある特定の画素についての信号に着目すると、図１０に示すようになる。この図１０の各信号については、図１と基本的に同じであるので詳細な説明を省く。
【０１２４】
同図において、走査信号Ｇ１及び走査信号Ｇ２とラッチパルスＬＴとの位相関係に注目すると、本実施の形態では、映像信号ＦＤ０Ａ領域及び映像信号ＦＤ１Ａ領域が完全充電する画素（ＦＤ０Ａ−Ｇ１、ＦＤ０Ａ−Ｇ２、ＦＤ１Ａ−Ｇ１、ＦＤ１Ａ−Ｇ２）であり、映像信号ＦＤ０Ｂ領域及び映像信号ＦＤ１Ｂ領域が不完全充電する画素（ＦＤ０Ｂ−Ｇ１、ＦＤ０Ｂ−Ｇ２、ＦＤ１Ｂ−Ｇ１、ＦＤ１Ｂ−Ｇ２）となるように、切り替える。
【０１２５】
したがって、１垂直期間（１Ｖ）における最初の出力では、走査信号Ｇ１の最初の立ち上がりと同時にラッチパルスＬＴをＯＮする一方、１垂直期間（１Ｖ）における２回目の出力では、走査信号Ｇ１の２回目の立ち上がりからズレＤｔの後にラッチパルスＬＴをＯＮしている。
【０１２６】
これにより、液晶表示装置のようなデータ保持型の表示装置であってもＣＲＴと同様な駆動に近づけることができる。また、完全充電画素に必ず元の映像信号が含まれているので、映像信号そのものとしては、フレームレートはそのままで残像対策が図れるという実施の形態１にはなかった効果が得られる。
【０１２７】
なお、上述の説明では、映像信号ＦＤ０Ａ及び映像信号ＦＤ１Ａ領域で完全充電、映像信号ＦＤ０Ｂ及び映像信号ＦＤ１Ｂ領域で不完全充電とというように、完全充電フレームと不完全充電フレームとを交互に繰り返すことを示したが方法はこの限りではない。ただし、不完全充電画素の直前フレームの画素が完全充電画素である方が、応答性、及び、輝度確保の点からも有効と考えられる。このことは、実施の形態１でも説明した通りである。
【０１２８】
なお、実施の形態１でも説明したように、液晶表示装置は、素子特性上、画素電極に印加する信号を交流にて駆動している。図５（ａ）〜（ｄ）ないし図７（ａ）〜（ｄ）に示す画素極性配列を、図１０に示す駆動タイミングにて行うと次のようになる。
【０１２９】
すなわち、図５（ａ）〜（ｄ）（ライン反転駆動）、図６（ａ）〜（ｄ）（ドット反転駆動）、及び図７（ａ）〜（ｄ）とも、画素における極性の偏りがないように２フレーム単位で画素極性を反転しているが、この場合の１フレームとは、図１０におけるＦＤ０Ａ、ＦＤ０Ｂ、ＦＤ１Ａ、ＦＤ１Ｂを指している。つまり、図５（ａ）〜（ｄ）ないし図７（ａ）〜（ｄ）では２フレーム毎に極性反転しているが、ここでの２フレームとは液晶表示装置へ入力される映像信号の１フレームではなく、データ信号線Ｄへの信号（データバス）へ出力される信号のタイミングを指している。このことは、同様に、図８（ａ）（ｂ）（ｃ）のフレーム番号についても言える。
【０１３０】
後の説明については、実施の形態１と同様であるのでの詳細説明を省くが、液晶表示装置のようなデータ保持型の表示装置であってもＣＲＴと同様な駆動に近づけることができる。また、完全充電画素に必ず元の映像信号が含まれているので、映像信号そのものとしては、フレームレートはそのままで残像対策が図れるという実施の形態１にはなかった効果が得られる。なお、動画時に残像対策を行うほうが効果的であることは、実施の形態１と同様である。
【０１３１】
また、上記実施の形態１及び実施の形態２のいずれにおいても、本発明をアクティブマトリクス型のデータ保持型表示装置に適用した場合を例に説明しているが、必ずしもこれに限らず、パッシブ型のデータ保持型表示装置にも適用できることはいうまでもない。
【０１３２】
このように、本実施の形態の液晶表示装置、その駆動装置、及び液晶表示装置の表示方法では、まず、複数の表示フレームからなる映像信号における少なくとも１表示フレーム分の映像信号データをメモリ１２に記憶する。そして、記憶された１表示フレーム分の映像信号データを、１垂直期間内に、ｎ倍速（ｎは２以上の整数）にてｎ回出力させる。このとき、ｎ回のｎ倍速表示フレームのうち少なくとも１回のｎ倍速表示フレームを、データ信号線へ供給するデータ信号が上記映像信号の示す階調レベル未満の信号を含む階調レベル未満表示フレームとなるように駆動、表示する。そして、該階調レベル未満の信号は前表示フレームの信号レベルと関連づけがなされている。
【０１３３】
すなわち、実施の形態１のタイミングで制御していた液晶表示装置では、階調レベル未満表示フレームとして減衰させて画素上に印加する必要があるため、映像信号のフレームレートが十分高くなければ、階調レベル未満表示フレームが、場合によっては、フリッカーのように見える。
【０１３４】
しかし、本実施の形態のタイミングで制御すれば、一旦、映像信号はｎ倍速に変換され、一方を階調レベル表示フレーム、他方を階調レベル未満表示フレームとして扱うために、元の映像信号と比較してもフレームレートの低下がないので、フリッカーを発生させることがない。
【０１３５】
したがって、確実に、画面の輝度低下を発生させずに、かつ動画表示の場合に見られる残像による表示品位低下を防止し得る液晶表示装置、その駆動装置、及び液晶表示装置の表示方法を提供する。
【０１３６】
また、本実施の形態の液晶表示装置では、データ信号線駆動回路ＳＤは、階調レベル未満表示フレームの直前の表示フレームに対しては、階調レベル表示フレームとなるように駆動する。
【０１３７】
それゆえ、映像信号よりも低いレベルで画素に印加する階調レベル未満表示フレームが連続しないので、必要以上に輝度低下を起さなくて済む。また、応答性の観点からも有利である。
【０１３８】
また、本実施の形態の液晶表示装置では、データ信号線駆動回路ＳＤは、データ信号線Ｄへの信号出力レベルが、映像信号が示す階調レベルよりも低い階調レベルとするために、データ信号線への出力タイミングをずらす。
【０１３９】
それゆえ、表示フレーム間に単に黒挿入する場合と違い、必要以上に輝度低下させずに済む。
【０１４０】
また、本実施の形態の液晶表示装置では、データ信号線駆動回路ＳＤは、データ信号線Ｄへの出力タイミングをずらすため、ラッチ信号のタイミングを制御する。さらに、そのラッチ信号のタイミングは、ｎ倍速表示フレーム毎に制御するのが好ましい。
【０１４１】
それゆえ、映像信号に手を加える必要がないので、データの変更が容易である。また、その調整幅もラッチ信号の設定の範囲内にてできるので、調整範囲が大きく、フレキシブルである。
【０１４２】
また、本実施の形態の液晶表示装置では、データ信号線駆動回路ＳＤは、階調レベル表示フレームとそれに続く階調レベル未満表示フレームとを一対の表示フレームとし、該一対の表示フレーム単位でデータ信号線への信号極性を切り替える。それゆえ、極性が特定の方向に偏ることを防止することができる。
【０１４３】
また、本実施の形態の液晶表示装置では、データ信号線駆動回路ＳＤは、データ信号線Ｄへの信号出力の極性反転を、前記階調レベル表示フレーム、階調レベル未満表示フレームの別を問わず、その境界となるフレーム位置をランダムに切り替える。
【０１４４】
それゆえ、特に、階調レベル表示フレームと階調レベル未満表示フレームとの切り替えが所定の周期で行われた場合には、キラーパターンと言われる特定の表示品位の劣化を引き起こす固定パターン（静止画）が存在する可能性があるが、本実施の形態では、そのランダム性ゆえに、キラーパターンが存在し得ない。
【０１４５】
また、本実施の形態の液晶表示装置、及び液晶表示装置の表示方法では、ＣＰＵ１１にて、映像信号が複数の表示フレームからなる動画であるか又は静止画であるかを判断し、その結果が動画である場合に、階調レベル未満表示フレームとなるように駆動し、表示する。
【０１４６】
それゆえ、本来、液晶表示装置は、静止画表示にはちらつきが発生しないという利点があり、この利点を保つためには、動画時のみに本実施の形態の処理を施せば、液晶の持つ長所を生かしながら、動画性能の改善を図ることが可能である。
【０１４７】
なお、上記実施の形態２では、判断手段としてのＣＰＵ１１と記憶手段としてのメモリ１２が、データ信号線駆動回路ＳＤの中の有しているとして説明を行ったが、ＣＰＵ１１とメモリ１２が、データ信号線駆動回路の外部に有していてもよいことは、言うまでもない。また、判断手段としては、ＣＰＵ１１の他、レベルコンパレータ等を用いてもよい。
〔実施の形態３〕
本発明のさらに他の実施の形態について図１１に基づいて説明すれば、以下の通りである。なお、本実施の形態において説明すること以外の構成は、前記実施の形態１と同じである。また、説明の便宜上、前記の実施の形態１及び実施の形態２の図面に示した部材と同一の機能を有する部材については、同一の符号を付し、その説明を省略する。
【０１４８】
前記実施の形態１及び実施の形態２では、完全充電と不完全充電とをフレーム単位で切り替えて行っているが、必ずしもこれに限らず、完全充電と不完全充電とを１フレーム間に混在させることが可能である。
【０１４９】
例えば、前記特許文献１に記載の駆動方法は、１フレーム中に画像信号を書き込むラインと、それとは異なるラインに黒レベル信号を書き込む方法であり、ある意味で１フレーム間に画像信号と黒レベル信号とを混在させて書き込むものである。
【０１５０】
しかしながら、該特許文献１記載の表示装置は、上記駆動を行うために、表示装置を列方向に分割し、分割した一方の分割領域に画像信号を書き込んでいるときには、他方の分割領域に黒レベル信号を書き込むようにしている。つまり、特許文献１においては、パネルは電気的にも物理的にも分割されていることが必須条件である。
【０１５１】
これに対して、本実施の形態においては、黒レベル相当の信号を画素に充電するためには、画素充電のための走査信号の出力タイミングをずらすことのみで実現できる。したがって、同一フレームに完全充電する走査ラインと不完全充電する走査ラインとを混在させることが可能である。
【０１５２】
具体的には、図１３に示すように、走査ラインＧ１・Ｇ２ではスタートパルスＳＰ２によって画像信号を完全充電し、走査ラインＧ２４１・Ｇ２４２ではスタートパルスＳＰ１によって黒レベル相当の信号を書き込むために不完全充電を行う。すなわち、データバスラインが共通であっても、その充電タイミングを走査信号の切り替えタイミングを可変することによって、完全充電（通常画像データ書き込み）にも不完全充電（黒レベル信号データ書き込み）にもなる。詳細には、走査信号線Ｇ毎又は複数の走査信号線Ｇ毎にスタートパルスＳＰ１とスタートパルスＳＰ２とを切り替える。
【０１５３】
したがって、制御が簡便でありだけでなく、特許文献１に記載の表示領域を分割したりする必要がなく、安価に上記目的を実現することが可能である。
【０１５４】
ただし、図１３のタイミングチャートに示す駆動においては、走査信号Ｇ１からのタイミングと走査信号Ｇ２４１からのタイミングとをずらす必要がある。これは、充電時間を可変するためである。
【０１５５】
このように、本実施の形態の表示装置としてのアクティブマトリクス型の液晶表示装置、その駆動装置としての走査信号線駆動回路（ゲートドライバ）ＧＤ及びデータ信号線駆動回路（データドライバ）ＳＤ、及び表示装置の表示方法では、第３の駆動手段としてのは走査信号線駆動回路（ゲートドライバ）ＧＤ及びデータ信号線駆動回路（データドライバ）ＳＤは、１つの表示フレーム内において、データ信号線Ｄへ供給するデータ信号が映像信号の示す階調レベル表示と、映像信号の示す階調レベル未満の信号を含む階調レベル未満表示とを出力タイミングをずらすことにより混在させて駆動する。そして、該階調レベル未満の信号は前表示の信号レベルと関連づけがなされている。
【０１５６】
これによって、１つの表示フレーム内において、画面の輝度低下を発生させずに、かつ動画表示の場合に見られる残像による表示品位低下を防止し得る液晶表示装置、その駆動装置、及び液晶表示装置の表示方法を提供することができる。
【０１５７】
また、本実施の形態の表示装置としてのアクティブマトリクス型の液晶表示装置、その駆動装置としての走査信号線駆動回路（ゲートドライバ）ＧＤ及びデータ信号線駆動回路（データドライバ）ＳＤ、及び表示装置の表示方法では、出力タイミング切替え手段としての制御回路ＣＮＴにて、１つの表示フレーム内で、画素に対する映像信号の示す階調レベル表示を行う出力タイミングと階調レベル未満表示を行う出力タイミングとを、走査信号線Ｇ毎に又は複数の走査信号線Ｇ毎に切り替えることによって、従来のように表示領域を分割したりする必要がなく、簡単にかつ安価に出力タイミングを切り替えることができる。
【０１５８】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５９】
本発明は、例えば、液晶表示装置等のデータ保持型の表示装置に利用できる。また、アクティブマトリクス型のデータ保持型の表示装置に限らず、パッシブ型のデータ保持型の表示装置にも適用できる。
【図面の簡単な説明】
【０１６０】
【図１】本発明における液晶表示装置の実施の一形態を示すものであり、主要な駆動信号の詳細を示すタイミングチャートである。
【図２】（ａ）は上記液晶表示装置の概略構成を示す正面図であり、（ｂ）はデータ信号線駆動回路の構成を示すブロック図である。
【図３】上記液晶表示装置の表示領域を示す正面図である
【図４】上記液晶表示装置の主要な駆動信号の概略を示すタイミングチャートである。
【図５】（ａ）〜（ｄ）は、上記液晶表示装置において極性反転駆動（ライン反転駆動）させたときの表示領域を示す正面図である。
【図６】（ａ）〜（ｄ）は、上記液晶表示装置において極性反転駆動（ドット反転駆動）させたときの表示領域を示す正面図である。
【図７】（ａ）〜（ｄ）は、上記液晶表示装置において極性反転駆動（２ラインドット反転駆動）させたときの表示領域を示す正面図である。
【図８】（ａ）〜（ｃ）は、上記液晶表示装置において極性反転駆動させたときの画素の表示状態を示す概念図である。
【図９】本発明における液晶表示装置の他の実施の形態を示すものであり、主要な駆動信号の概略を示すタイミングチャートである。
【図１０】上記液晶表示装置における主要な駆動信号の詳細を示すタイミングチャートである。
【図１１】本発明における液晶表示装置の他の実施の形態を示すものであり、主要な駆動信号の概略を示すタイミングチャートである。
【図１２】従来の液晶表示装置を示す正面図である。
【図１３】上記液晶表示装置における主要な駆動信号の概略を示すタイミングチャートである。
【符号の説明】
【０１６１】
１    表示領域（表示部）
１１    ＣＰＵ（判断手段）
１２    メモリ（記憶手段）
ＣＮＴ  制御回路
ＧＤ    走査信号線駆動回路（データ保持型表示装置の駆動装置、第３の駆動手段）
ＬＴ    ラッチパルス
ＳＤ    データ信号線駆動回路（データ保持型表示装置の駆動装置、第１の駆動手段、第                              ２の駆動手段、第３の駆動手段）
ＳＴ    スタートパルス
【図１】
2005128488.tif 000003
【図２】
2005128488.tif 000004
【図３】
2005128488.tif 000005
【図４】
2005128488.tif 000006
【図５】
2005128488.tif 000007
【図６】
2005128488.tif 000008
【図７】
2005128488.tif 000009
【図８】
2005128488.tif 000010
【図９】
2005128488.tif 000011
【図１０】
2005128488.tif 000012
【図１１】
2005128488.tif 000013
【図１２】
2005128488.tif 000014
【図１３】
2005128488.tif 000015